(57)【特許請求の範囲】
【請求項１】
実行により、ユーザイクイップメント（ＵＥ）に、
前記ＵＥの無線リソース制御（ＲＲＣ）アイドル状態接続のために、他のセルよりも優先される、無線通信ネットワークの一つ以上のセルを示すセル特定プライオリティ情報を、進化型Ｎｏｄｅ  Ｂ（ｅＮＢ）から取得させ、
前記ＵＥがキャリアアグリゲーション又はデュアルコネクティビティが可能であるか否かを決定させ、
前記ＵＥがキャリアアグリゲーション又はデュアルコネクティビティが不可能であると決定された場合には、前記セル特定プライオリティ情報に基づいて、前記ＲＲＣアイドル状態接続のための第一セルを選択させ、
前記ＵＥがキャリアアグリゲーション又はデュアルコネクティビティが可能であると決定された場合には、前記セル特定プライオリティ情報を考慮することなく、前記ＲＲＣアイドル状態接続のための搬送周波数又はセルを選択させる、プログラム。
【請求項２】
さらに、前記ＵＥに、
前記ＵＥのＲＲＣアイドル状態接続のために、前記無線通信ネットワークの複数の搬送周波数のうちの各搬送周波数の相対的プライオリティを示す周波数プライオリティ情報を取得させ、
前記ＵＥがキャリアアグリゲーション又はデュアルコネクティビティが可能であると決定された場合は、前記周波数プライオリティ情報に基づいて前記ＲＲＣアイドル状態接続のための前記搬送周波数又はセルを選択させる、請求項１に記載のプログラム。
【請求項３】
さらに、前記ＵＥに、
前記無線通信ネットワークのためのマクロカバレッジを提供するマクロ周波数キャリア又はマクロセルを示す識別子を、前記ｅＮＢから取得させ、
前記ＵＥがキャリアアグリゲーション又はデュアルコネクティビティが可能であると決定された場合は、前記ＲＲＣアイドル状態接続のために前記マクロ周波数キャリア又は前記マクロセルを選択させる、請求項１又は２に記載のプログラム。
【請求項４】
請求項１から３のいずれか一項に記載のプログラムを記憶した一つ以上の非一時的なコンピュータ読み取り可能媒体。
【発明の詳細な説明】
【技術分野】
【０００１】
本願は、2014年11月7日に出願された「LOAD  BALANCING  IN  A  WIRELESS  CELLULAR  NETWORK  BASED  ON  USER  EQUIPMENT  MOBILITY」と題する、米国特許出願番号14/535,651号及び、2014年4月28日に出願された「CELL  SPECIFIC  LOAD  BALANCING  BASED  ON  UE  SPEED」と題する、米国特許仮出願番号61/985,387に基づく優先権を主張し、同出願はすべて参照により本明細書に組み込まれる。
【０００２】
本開示の実施形態は、概して、無線通信の分野に関連し、より詳細には、ユーザイクイップメントの移動度に基づいた負荷分散に関連する。
【背景技術】
【０００３】
ロングタームエボリューション（ＬＴＥ）ネットワークでは、オーバーラップする地理的領域をカバーする複数のセルにより、ネットワークサービスがユーザイクイップメント（ＵＥ）に提供され得る。複数のセルは、異なる送信電力（例えば、高電力マクロセル、中電力マイクロセル、低電力ピコセル又はフェムトセル）の複数のセルを含み得る。ＬＴＥネットワークは、ＵＥが接続されるセルを変更することができ、セル間のネットワーク負荷の平衡を保つ。
【図面の簡単な説明】
【０００４】
実施形態は、添付の図面と供せて、次の詳細な説明により容易に理解されるものである。この記載を容易にするため、類似の参照番号は類似の構造的要素を示す。実施形態は、添付の図面における限定としてではなく、例示として示される。
【０００５】
【図１】図１は、種々の実施形態に係る、無線通信ネットワーク環境を概略的に示す。
【図２】図２は、種々の実施形態に係る、進化型Ｎｏｄｅ  Ｂ（ｅＮＢ）を概略的に示す。
【図３】図３は、種々の実施形態に係る、ユーザイクイップメント（ＵＥ）を概略的に示す。
【図４】図４は、種々の実施形態に係る、ＵＥにより行われるセル選択の方法を示す。
【図５】図５は、種々の実施形態に係る、ｅＮＢにより行われるネットワーク管理の方法を示す。
【図６】図６は、種々の実施形態に係る、ＵＥにより行われるセル選択の方法の別を示す。
【図７】図７は、種々の実施形態に係る、ＵＥにより行われるセル選択の方法の別を示す。
【図８】図８は、本開示で記載する種々の実施形態を実践するのに用いられ得る例示のコンピューテイングデバイスのブロック図である。
【発明を実施するための形態】
【０００６】
次の詳細な記載では、その詳細な説明の一部を形成し、全体を通して類似の番号が類似の部分を示す添付の図面について述べる。添付の図面では、実践され得る実施形態を例として示す。本開示の範囲を逸脱することなく、他の実施形態が利用されることができ、構造的又は論理的な変更がなされ得ると理解される。
【０００７】
種々の動作が、次々に複数のディスクリートな活動又は動作として記載され得る。その記載の仕方が、特許請求の範囲に記載された主題を理解するのに最も有益である。しかし、記載の順序を、これらの記載が順序依存であることが必要であると示唆するものとして解釈されるべきではない。特に、これらの動作は、提示の順序で実行されなくてもよい。記載する動作は、記載する実施形態でのものとは異なる順序で実行し得る。種々の付加的な動作を実行してもよく、及び/又は記載する処理は付加的な実施形態において省略されてもよい。
【０００８】
本開示上、用語「又は（or）」は、その用語に結合されたコンポーネントの少なくとも一つを意味する両立的用語として用いられる。例えば、表現「Ａ又はＢ」は、（Ａ）、（Ｂ）又は（Ａ及びＢ）を意味し、表現「Ａ、Ｂ又はＣ」は、（Ａ）、（Ｂ）、（Ｃ）、（Ａ及びＢ）、（Ａ及びＣ）、（Ｂ及びＣ）又は（Ａ、Ｂ及びＣ）を意味する。
【０００９】
記載では、表現「一つの実施形態において」又は表現「複数の実施形態において」を用い得るが、それぞれ、同一の、又は異なる実施形態の一つ以上を示し得る。さらに、用語「含む(comprising)」、「含む(including)」、「有する(having)」等は、本開示の実施形態に関して用いるように、同義である。
【００１０】
本開示で用いられるように、用語「回路（circuitry）」は、特定用途向け集積回路（ＡＳＩＣ）、電子回路、一以上のソフトウェアプログラム若しくはファームウェアプログラムを実行する、プロセッサ（共有、専用若しくはグループ）若しくは、メモリ（共有、専用若しくはグループ）、組み合わせ論理回路、又は他の所望の機能性を提供する好適なハードウェアコンポーネントの一部又はそれらを含むことを示す。
【００１１】
図１は、種々の実施形態に係る、ネットワーク環境１００（以下、ネットワーク）を概略的に示す。ネットワーク１００は、一つ以上のセル、１０８、１１２ａ、１１２ｂ、１１６ａ，１１６ｂ、１１６ｃ、１１６ｄ及び／又は１１６ｅを介した無線通信でのユーザイクイップメント（ＵＥ）１０４ａ及び／又は１０４ｂを含み得る。セル１０８、１１２ａ〜１１２ｂ及び／又は１１６ａ〜１１６ｅは各アクセスノード（ネットワーク１００の進化型Ｎｏｄｅ  Ｂ（ｅＮＢ））に関連づけられ得る。ｅＮＢ３００の例は図３に示され、下記に詳説される。いくつかの実施形態においては、一つのｅＮＢは一つ以上のセル１０８、１１２ａ〜１１２ｂ及び／又は１１６ａ〜１１６ｅを介してネットワークサービスを提供し得る。
【００１２】
セル１０８、１１２ａ〜１１２ｂ及び／又は１１６ａ〜１１６ｅは第三世代パートナーシッププロジェクト（３ＧＰＰ）ロングタームエボリューション（ＬＴＥ）ネットワーク（又はＬＴＥアドバンスト（ＬＴＥ−Ａ））の一部であり得る。特に、セル１０８、１１２ａ〜１１２ｂ及び１１６ａ〜１１６ｅは、一つ以上の進化型ユニバーサル地上無線アクセスネットワーク（Ｅ−ＵＴＲＡＮ）などの、ＬＴＥ／ＬＴＥ−Ａネットワークの一つ以上の無線アクセスネットワークの一部であり得る。Ｅ‐ＵＴＲＡＮは、進化型パケットコア（ＥＰＣ）等の、ＬＴＥ／ＬＴＥ−Ａネットワークの種々の管理及び制御機能を行うコアネットワークに結合され得る。例えば、ＥＰＣは、アイドル状態ＵＥページング及び再送信を含むタギングプロシージャに対して責任を負う移動度管理エンティティ（ＭＭＥ）を含み得る。ＥＰＣは、また、種々のＲＡＮと他のネットワークとの間の通信インタフェースを提供し得る。
【００１３】
種々の実施形態においては、各セル１０８、１１２ａ〜１１２ｂ及び／又は１１６ａ〜１１６ｅは、一つ以上の他のセル１０８、１１２及び／又は１１６ａ〜１１６ｅとは異なる送信電力を有し得る。セル１０８、１１２ａ〜１１２ｂ及び／又は１１６ａ〜１１６ｅの送信電力は、一般的に、図１に示す関連づけられた円によって示されるような、セル１０８、１１２ａ〜１１２ｂ及び／又は１１６ａ〜１１６ｅのカバレッジ範囲に対応し得る。例えば、セル１０８は、大きなカバレッジ範囲を有する、比較的高電力のセル（例えば、マクロセル）であり得る。セル１１２ａ〜１１２ｂは、セル１０８の送信電力及びカバレッジ範囲よりは、小さい送信電力とカバレッジ範囲をそれぞれ有し得る。いくつかの実施形態においては、セル１１２ａ〜１１２ｂは、マイクロセルと呼ばれ得る。セル１１６ａ〜１１６ｅは、セル１１２ａ〜１１２ｂの送信電力及びカバレッジ範囲よりは、小さい送信電力とカバレッジ範囲をそれぞれ有し得る。いくつかの実施形態においては、セル１１６ａ〜１１６ｅは、スモールセル、ピコセル又はフェムトセルと呼ばれ得る。異なるセル１０８、１１２ａ〜１１２ｂ及び／又は１１６ａ〜１１６ｅのカバレッジ範囲は、例えば、図１に示すように、他のセル１０８、１１２ａ〜１１２ｂ及び／又は１１６ａ〜１１６ｅのカバレッジ範囲とオーバーラップし得る。ネットワーク１００が、任意の数及び／又は配置のセル１０８、１１２ａ〜１１２ｂ及び／又は１１６ａ〜１１６ｅを含み得ることは明らかであろう。
【００１４】
種々の実施形態において、各１０８、１１２ａ〜１１２ｂ及び／又は１１６ａ〜１１６ｅは、それぞれ搬送周波数に関連づけられ得る。所与のセル１０８、１１２ａ〜１１２ｂ及び／又は１１６ａ〜１１６ｅによるＵＥ１０４ａ〜１０４ｂとｅＮＢとの通信は、それらのセルに関連づけられた搬送周波数を用い得る。いくつかの実施形態においては、複数のセル１０８、１１２及び／又は１１６ａ〜１１６ｅは同一の搬送周波数に関連づけられている。例えば、実質的にオーバーラップしない異なるカバレッジ範囲を有するセル１０８、１１２ａ〜１１２ｂ及び／又は１１６ａ〜１１６ｅは、同一の搬送周波数に関連づけられ得る。いくつかの実施形態においては、同一又は類似する送信電力を有するセル１０８、１１２及び／又は１１６ａ〜１１６ｅは、同一の搬送周波数に関連づけられ得る。例えば、図１に示すネットワーク１００では、セル１０８は第一搬送周波数に関連づけられ、セル１１２ａ〜１１２ｂは第二搬送周波数に関連づけられ、セル１１６ａ〜１１６ｅは第三搬送周波数に関連づけられ得る。
【００１５】
図２は、種々の実施形態に係る、ｅＮＢ２００を概略的に示す。ｅＮＢ２００は、一つ以上のセル１０８、１１２ａ〜１１２ｂ及び／又は１１６ａ〜１１６ｅを介して、ＵＥ１０４ａ及び／又は１０４ｂと通信し得る。いくつかの実施形態においては、各セル１０８、１１２及び／又は１１６ａ〜１１６ｅは、異なるｅＮＢ２００に関連づけられ得る。他の実施形態においては、一つのｅＮＢ２００が複数のセル１０８、１１２ａ〜１１２ｂ及び／又は１１６ａ〜１１６ｅに亘り通信し得る。ｅＮＢ２００は、通信デバイス２０４を含み得る。通信デバイス２０４は、ＵＥ１０４ａ〜１０４ｂとの通信を達成するための種々の通信プロトコルを実装する。通信デバイス２０４は、チップ、チップセット、その他の一群のプログラムされた及び／又は事前設定された回路であり得る。いくつかの実施形態では、通信デバイス２０４はベースバンド回路、無線周波数回路等を含む、又はこれらの一部であり得る。
【００１６】
通信デバイス２０４は、ＵＥ１０４ａ〜１０４ｂと無線通信するトランシーバ回路２０８を含み得る。トランシーバ回路２０８は、ＵＥ１０４ａ〜１０４ｂと無線信号を送受信するｅＮＢ２００の一つ以上のアンテナ２１２と結合し得る。通信デバイス２０４は、さらに、トランシーバ回路２０８に結合されたネットワーク管理回路２１６を含み得る。
【００１７】
図３は、種々の実施形態に係る、ＵＥ３００を概略的に示す。ＵＥ３００は、図１に示したＵＥ１０４ａ及び／又は１０４ｂに対応し得る。
【００１８】
ＵＥ３００は、通信デバイス３０４を含み得る。通信デバイス３０４は、ｅＮＢ２００（例えば、一つ以上のセル１０８、１１２ａ〜１１２ｂ及び／又は１１６ａ〜１１６ｅ）との通信を達成するための種々の通信プロトコルを実装する。通信デバイス３０４は、チップ、チップセット、その他の一群のプログラムされた及び／又は事前設定された回路であり得る。いくつかの実施形態では、通信デバイス３０４はベースバンド回路、無線周波数回路等を含む、又はこれらの一部であり得る。
【００１９】
通信デバイス３０４は、無線通信ネットワーク（例えば、ＲＡＮ）でｅＮＢ２００と無線通信するトランシーバ回路３０８を含み得る。トランシーバ回路３０８は、ｅＮＢ２００と無線信号を送受信するＵＥ３００の一つ以上のアンテナ３１２と結合し得る。通信デバイス３０４は、さらに、トランシーバ回路３０８に結合された制御回路３１６と、制御回路３１６に結合された移動度回路３２０と、を含み得る。
【００２０】
種々の実施形態においては、ＵＥ３００がネットワーク１００でアクティブに通信しているとき（例えば、ＵＥ３００がネットワーク１００上で一つ以上のアクティブパケットデータネットワーク（ＰＤＮ）接続を有しているとき）、ＵＥ３００は、一つ以上のセル１０８、１１２ａ〜１１２ｂ及び／又は１１６ａ〜１１６ｅを介したｅＮＢ２００への無線リソース制御（ＲＲＣ）接続状態であり得る。ＵＥ３００がネットワーク上でアクティブなＰＤＮ接続を有しなくなったときは、ｅＮＢ２００のネットワーク管理回路２１６は、非アクティブタイマを起動し得る。非アクティブタイマは、非アクティブタイマの開始時間から、前もって規定された期間を経過すると、期限切れとなり得る。非アクティブタイマが期限切れになったときは、ネットワーク管理回路２１６はＵＥ３００にＲＲＣアイドル状態に入るように指示する（例えば、ＲＲＣ接続解放メッセージをＵＥ３００に送信することによって）。
【００２１】
ＲＲＣアイドル状態では、ＵＥ３００はユーザプレーンでデータを送受信することができないのであり得る。ＵＥ３００のためのＲＲＣコンテクスト情報はなんらｅＮＢ２００で記憶されないのであり得る。しかし、ＵＥ３００は、セル１０８、１１２ａ〜１１２ｂ及び／又は１１６ａ〜１１６ｅへのＲＲＣアイドル状態接続を維持することができ、ネットワーク１００から（例えば、ＭＭＥから）ページングメッセージ及び／又は他のシグナリング（例えば、システム情報ブロードキャスト）を受信する。実施形態においては、ＲＲＣアイドル状態接続の維持は、セル１０８、１１２ａ〜１１２ｂ及び／又は１１６ａ〜１１６ｅへの「キャンピング」と呼ばれ得る。ＵＥ３００がページングメッセージを受信する場合、又はＵＥがネットワーク１００へのユーザプレーン接続を必要とする処理（例えば、アプリケーション）を開始する場合、ＵＥ３００は、ＵＥ３００がＲＲＣアイドル状態接続したのと同一のセル１０８、１１２ａ〜１１２ｂ及び／又は１１６ａ〜１１６ｅへのＲＲＣ接続状態に再び入り得る。
【００２２】
種々の実施形態においては、制御回路３１６は、一つ以上のセル再選択プライオリティコンフィグレーションを（例えば、トランシーバ回路３０８を介して）受信し得る。各セル再選択プライオリティコンフィグレーションは搬送周波数（例えば、第一搬送周波数、第二搬送周波数及び第三搬送周波数）の相対的プライオリティ及び／又はＵＥ３００により使用される各セル（例えば、セル１０８、１１２ａ〜１１２ｂ及び／又は１１６ａ〜１１６ｅ）を示し得る。例えば、いくつかの実施形態においては、一つ以上のセル再選択プライオリティコンフィグレーションは、ＲＲＣアイドル状態中にＲＲＣアイドル状態接続の維持をどのセル１０８、１１２ａ〜１１２ｂ及び／又は１１６ａ〜１１６ｅとするかの選択について、ＵＥ３００によって使用され得る。
【００２３】
いくつかの実施形態においては、ネットワーク管理回路２１６は、（例えば、複数のＵＥによって受信される）ブロードキャストシグナリングを介して、又はＵＥ３００に対して指定された指定シグナリングを介して、ＵＥ３００に一つ以上のセル再選択プライオリティコンフィグレーションを（例えば、トランシーバ回路２０８を介して）送信し得る。いくつかの実施形態においては、ネットワーク管理回路２１６はＲＲＣ接続解放処理の一部として、ＵＥ３００に一つ以上のセル再選択プライオリティコンフィグレーションを送信し得る。例えば、一つ以上のセル再選択プライオリティコンフィグレーションは、ＲＲＣ接続状態からＲＲＣアイドル状態に入るようにＵＥ３００に指示するＲＲＣ接続解放メッセージに含まれ得る。さらに、又はあるいは、一つ以上のセル再選択プライオリティコンフィグレーションがシステム情報ブロードキャスト（ＳＩＢ）メッセージに含まれ得る。
【００２４】
実施形態においては、一つ以上のセル再選択プライオリティコンフィグレーションは、ＵＥ３００の移動度の異なるレベル又は範囲（例えば、移動速度）に対して指定され得る。種々の実施形態においては、移動度回路３２０はＵＥ３００の移動度を推定することができ、制御回路３１６は推定された移動度に基づいて、使用されるセル再選択プライオリティコンフィグレーションを選択し得る。移動度回路３２０は、例えば、３ＧＰＰ技術仕様３６．３０４に従って、ＵＥ３００の移動度を推定し得る。制御回路３１６は、選択されたセル再選択プライオリティコンフィグレーションに基づいてセル（例えば、セル１０８、１１２ａ〜１１２ｂ及び／又は１１６ａ〜１１６ｅ）との接続を確立し得る。
【００２５】
いくつかの実施形態においては、ＵＥ３００は、移動度の異なるレベルに対して指定される複数のセル再選択プライオリティコンフィグレーションを受信することができ、制御回路３１６は推定されたＵＥ３００の移動度に基づいてセル再選択プライオリティコンフィグレーションの一つを選択し得る。他の実施形態においては、ＵＥ３００はセル再選択プライオリティコンフィグレーションを受信することができ、推定されたＵＥ３００の移動度が閾値よりも上である場合（例えば、ＵＥ３００が高い移動度を有する場合）、一つ以上のセル再選択プライオリティコンフィグレーションを用いないことを選択し得る。
【００２６】
例えば、いくつかの実施形態においては、ＵＥ３００のトランシーバ回路３０８は、閾値より下のＵＥ３００の移動度レベルに対して指定される単一のセル再選択プライオリティコンフィグレーションを受信し得る。いくつかの実施形態においては、推定されたＵＥ３００の移動度が閾値よりも上である場合のセル選択のため、セル再選択プライオリティコンフィグレーションがＵＥ３００によって無視されるべきか否かを示すインジケータ（例えば、ビット）を、セル再選択プライオリティコンフィグレーションを含むメッセージが含み得る。例えば、インジケータは、推定されたＵＥ３００の移動度が閾値より上である場合のセル選択のために、ＵＥ３００がセル再選択プライオリティコンフィグレーションを無視すること示す第一値を有し得る。又は、インジケータは、推定されたＵＥ３００の移動度が閾値より上である場合でもＵＥ３３０がセル再選択プライオリティコンフィグレーションを用いることを示す第二値を示し得る。いくつかの実施形態においては、閾値は、ネットワーク１００により設定可能である。他の実施形態においては、ＵＥ３００は、インジケータを受信しなくてもよく、推定されたＵＥ３００の移動度が閾値より上である場合のセル選択のため、セル再選択プライオリティコンフィグレーションを無視するようにプログラムされ得る。
【００２７】
ＵＥがセル再選択プライオリティコンフィグレーションを無視する場合、制御回路３１６はセル再選択プライオリティコンフィグレーションを考慮せずにＲＲＣアイドル状態接続のためのセル１０８、１１２ａ〜１１２ｂ及び／又は１１６ａ〜１１６ｅを選択し得る。例えば、制御回路３１６は予め決定されたプライオリティに基づいてセル１０８、１１２ａ〜１１２ｂ及び／又は１１６ａ〜１１６ｅを選択し得る。いくつかの実施形態においては、高移動度を有するＵＥ３００はＲＲＣアイドル状態接続のためにマクロセル１０８を好む。
【００２８】
種々の実施形態に係る他の例においては、ＵＥ３００のトランシーバ回路３０８は、高速コンフィグレーションと、中速コンフィグレーションと、低速コンフィグレーションと、を含む三つのセル再選択プライオリティコンフィグレーションを受信し得る。ＵＥ３００は、移動度回路３２０により移動度が高レベルであると推定したとき（例えば、推定された移動度が第一閾値より上であるとき）は、高速コンフィグレーションを選択し得る。ＵＥ３００は、移動度回路３２０により移動度が中レベルであると推定したとき（例えば、推定された移動度が第一閾値より下であり、第一閾値より下の第二閾値よりは上である）は、中速コンフィグレーションを選択し得る。ＵＥ３００は、移動度回路３２０により移動度が低レベルであると推定したとき（例えば、推定された移動度が第二閾値より下であるとき）は、低速コンフィグレーションを選択し得る。他の実施形態は様々な数のセル再選択プライオリティコンフィグレーションとそれらと対応する移動度レベルを含み得ることは明らかであろう。例えば、いくつかの実施形態においては、ＵＥ３００は、二つのセル再選択プライオリティコンフィグレーションを受信する、又は四つ以上のセル再選択プライオリティコンフィグレーションを受信し得る。
【００２９】
上述のように、いくつかの実施形態においては、セル再選択プライオリティコンフィグレーションは異なる搬送周波数の相対的プライオリティを示し得る。例えば、低速コンフィグレーションは、ミディアムセル１１２ａ〜１１２ｂ（例えば、マイクロセル）に対応する搬送周波数及びラージセル１０９（例えば、マクロセル）に対応する搬送周波数よりも、スモールセル１１６ａ〜１１６ｅ（例えば、マイクロセル又はフェムトセル）に対応する搬送周波数を優先させ得る。いくつかの実施形態においては、低速コンフィグレーションはさらに、ラージセル１０８に対応する搬送周波数よりも、ミディアムセル１１２ａ〜１１２ｂを優先させ得る。低速（例えば、静止している又はゆっくり動いている）のＵＥ３００については、ＵＥ３００は長時間にわたり低電力セル１１６ａ〜１１６ｅのカバレッジ範囲内に留まりやすい。ＵＥ３００にスモールセル１１６ａ〜１１６ｅに接続するように指示することでラージセル１０８での輻輳を低減することができ、ネットワーク１００のパフォーマンスを改善する。
【００３０】
いくつかの実施形態においては、高速コンフィグレーションは、ミディアムセル１１２ａ〜１１２ｂに対応する搬送周波数及びスモールセル１１６ａ〜１１６ｅに対応する搬送周波数よりも、ラージセル１０８に対応する搬送周波数を優先させ得る。いくつかの実施形態においては、高速コンフィグレーションは、さらに、スモールセル１１６ａ〜１１６ｅに対応する搬送周波数よりも、ミディアムセル１１２ａ〜１１２ｂに対応する搬送周波数を優先させ得る。
【００３１】
ＵＥ３００が高速で動いており、スモールセル１１６ａ〜１１６ｅの一つに接続されている場合は、ＵＥ３００はその該当のスモールセル１１６ａ〜１１６ｅのカバレッジ範囲から比較的早期に離れるので、ＵＥ３００が他のセル（例えば、他のスモールセル１１６ａ〜１１６ｅ、ミディアムセル１１２ａ〜１１２ｂ又はラージセル１０８）へのＲＲＣアイドル状態接続に切り替わる必要がある。従って、ＵＥ３００は、頻繁にセル再選択を行う必要があり、ネットワーク１００上のトラフィックを増加させる。本明細書で記載されたような異なるセル再選択プライオリティコンフィグレーションの使用により、高速で動いているＵＥ３００がラージセル１０８にとどまる一方で、静止している又は低速で動いているＵＥ３００は（例えば、可能であるときは）スモールセル１１６ａ〜１１６に接続される。
【００３２】
中速コンフィグレーションを含む実施形態においては、中速コンフィグレーションは、スモールセル１１６ａ〜１１６ｅに対応する搬送周波数及びラージセル１０８に対応する搬送周波数よりも、ミディアムセル１１２ａ〜１１２ｂに対応する搬送周波数を優先させ得る。いくつかの実施形態においては、中速コンフィグレーションは、スモールセル１１６ａ〜１１６ｅに対応する搬送周波数よりも、ラージセル１０８に対応する搬送周波数を優先させ得る。あるいは、中速コンフィグレーションは、ラージセル１０８に対応する搬送周波数よりも、スモールセル１１６ａ〜１１６ｅに対応する搬送周波数を優先させ得る。
【００３３】
種々の実施形態において、ＵＥ３００の制御回路は、選択されたセル再選択プライオリティコンフィグレーションに基づいて、セル１０８、１１２ａ〜１１２ｂ及び／又は１１６ａ〜１１６ｅとの接続を確立し得る。接続は、例えば、ＲＲＣアイドル状態接続であり得る。例として、図１の１０４ａ〜１０４ｂを参照すると、ＵＥ１０４ａ〜１０４ｂが低速コンフィグレーションを選択した場合、ＵＥ１０４ａはセル１１６ｃと第三周波数で接続を確立し得る。ＵＥ１０４ｂはセル１１２ａ又は１１２ｂと第二周波数で接続を確立し得る。これは、ＵＥ１０４ｂが、第三周波数で動作するスモールセル１１６ａ〜１１６ｅのいずれのカバレッジ範囲内にいないためである。
【００３４】
あるいは、ＵＥ１０４ａ〜１０４ｂが高速コンフィグレーションを選択した場合、ＵＥ１０４ａ〜１０４ｂは、ラージセル１０８と第一周波数で接続を確立し得る。ＵＥ１０４ａ〜１０４ｂが中速コンフィグレーションを選択した場合、ＵＥ１０４ａは、ミディアムセル１１２ｂと第二周波数で接続を確立することができ、ＵＥ１０４ｂは、ミディアムセル１１２ａ又は１１２ｂと第二周波数で接続を確立し得る。
【００３５】
本開示で記載したセル再選択プライオリティコンフィグレーションについての搬送周波数並びに／又はセル１０８、１１２ａ〜１１２ｂ及び／若しくは１１６ａ〜１１６ｅの相対的プロパティは、例として提示している。実施形態において、ネットワーク１００及び／又はｅＮＢ２００は、特定の搬送周波数での特定のセル１０８、１１２ａ〜１１２ｂ及び／又は１１６ａ〜１１６ｅに結合されたＵＥ１０４ａ〜１０４ｂの数等、ネットワーク１００内の条件に基づいて、相対的プロパティを調整し得る。
【００３６】
いくつかの実施形態においては、一つ以上のセル再選択プライオリティコンフィグレーションは、各搬送周波数の相対的プライオリティを示すことに加えて、又はこれの代わりに、各セル１０８、１１２ａ〜１１２ｂ及び／又は１１６ａ〜１１６ｅの相対的プライオリティを示し得る。いくつかの実施形態においては、ＵＥ３００は、搬送周波数の相対的プライオリティを示す周波数プライオリティ情報及び、各セル１０８、１１２ａ〜１１２ｂ及び／又は１１６ａ〜１１６ｅの相対的プライオリティを示すセル特定プライオリティ情報を受信し得る。例えば、セル特定プライオリティ情報は、他のセルよりも優先される一つ以上のセル１０８、１１２ａ〜１１２ｂ及び／又は１１６ａ〜１１６ｅを示し得る。周波数プライオリティ情報は及びセル特定プライオリティ情報は異なるメッセージ（例えば、ＲＲＣメッセージ）に含まれてもよく、同一のメッセージに含まれもよい。
【００３７】
セル特定プライオリティ及び搬送周波数プライオリティが所与のセル再選択プライオリティコンフィグレーションに対して示されるとき、そのセル特定プライオリティはその搬送周波数プライオリティよりも優先され得る。したがって、ＵＥ３００がセル特定プライオリティ情報により識別された一つ以上のセル１０８、１１２ａ〜１１２及び／又は１１６ａ〜１１６ｅへの接続を試み、セル特定プライオリティ情報により識別された一つ以上のセル１０８、１１２ａ〜１１２及び／又は１１６ａ〜１１６ｅが利用可能でない場合にのみ、周波数プライオリティ情報を用いて、搬送周波数を選択し得る。
【００３８】
いくつかの実施形態においては、ＵＥ３００により受信されるメッセージは、ＵＥ３００の異なる移動度レベルに対して指定される異なるセル特定プライオリティを有して、複数のセル再選択プライオリティコンフィグレーションについてのセル特定プライオリティ情報を含み得る。あるいは、ＵＥ３００は、一つ以上のセル１０８、１１２ａ〜１１２及び／又は１１６ａ〜１１６ｅの相対的プライオリティを示すセル特定プライオリティ情報の単一のセットを受信し得る。ＵＥ３００は、セル特定プライオリティ情報を一つ以上のセル再選択プライオリティコンフィグレーションに関連づけ、一つ以上の他のセル再選択プライオリティコンフィグレーションからセル特定プライオリティ情報を除外し得る（例えば、高速コンフィグレーション）。したがって、ＵＥ３００は、推定されたＵＥ３００の移動度が閾値よりも上である場合（例えば、ＵＥ３００が高移動度を有する場合）、セル１０８、１１２ａ〜１１２及び／又は１１６ａ〜１１６ｅの選択の際にセル特定プライオリティ情報を用いないことを決定し得る。ＵＥが高移動度を有する場合、ＵＥ３００は周波数プライオリティ情報（周波数プライオリティ情報が高い移動度レベルについて提供される場合）及びセル特定プライオリティ情報を除外することに基づいてＲＲＣ接続（例えば、ＲＲＣアイドル状態接続）のための搬送周波数を選択し得る。
【００３９】
例として、セル特定プライオリティ情報はセル１１２ｂが優先されること示し得る。ネットワーク１００及びｅＮＢ２００は、例えば、セル１１２ｂの負荷が相対的に軽い場合に、セル１１２ｂを優先させ得る。ＵＥ１０４ａ〜１０４ｂは、ＵＥ１０４ａ〜１０４ｂが低移動度又は中移動度を有する場合に、セル１１２ｂに接続することができ、ＵＥ１０４ａ〜１０４ｂが高移動度を有する場合は、セル１０８に接続することを選択し得る。
【００４０】
さらに、又はあるいは、ＵＥ３００の制御回路３１６は、ＵＥ３００がキャリアアグリゲーション及び／又はデュアルコネクティビティを用いてネットワーク１００上で通信することができるか否かに基づいて、セル選択のためにセル特定プライオリティ情報を用いるか否かを決定し得る。キャリアアグリゲーション及びデュアルコネクティビティでは、ＵＥ３００は同時に複数のセル１０８、１１２ａ〜１１２ｂ及び／又は１１６ａ〜１１６ｅで通信し得る。
【００４１】
種々の実施形態においては、ＵＥ３００がキャリアアグリゲーション又はデュアルコネクティビティが可能である場合で、ＵＥ３００がキャリアアグリゲーション又はデュアルコネクティビティが可能であると決定された場合は、制御回路３１６は、セル特定プライオリティ情報を考慮することなく、搬送周波数か、セル１０８、１１２ａ〜１１２ｂ及び／又は１１６ａ〜１１６ｅを選択する。ＵＥ３００がキャリアアグリゲーション及びデュアルコネクティビティが不可能である決定された場合は、制御回路３１６は、セル特定プライオリティ情報に基づいて接続するセル１０８、１１２ａ〜１１２ｂ及び／又は１１６ａ〜１１６ｅを選択し得る。
【００４２】
いくつかの実施形態においては、ＵＥ３００がキャリアアグリゲーション又はデュアルコネクティビティが可能である場合、ＵＥ３００は周波数プライオリティ情報を用いて接続する搬送周波数を選択し得る（例えば、ＵＥ３００の移動度に基づいて）。あるいは、又はさらに、ＵＥ３００はラージセル１０８に関連づけられた搬送周波数を優先する及び／又は選択し得る。ＵＥ３００は、ｅＮＢ２００からマクロセル（例えば、ラージセル１０８）を示す識別子及び／又はマクロセルの搬送周波数を受信することができ、これにより、ＵＥ３００は、ＵＥ３００がキャリアアグリゲーション又はデュアルコネクティビティが可能である場合に、マクロセルを優先することができる。
【００４３】
ＵＥ３００が、キャリアアグリゲーション又はデュアルコネクティビティを用いて通信するには、ＵＥ３００は、キャリアアグリゲーション又はデュアルコネクティビティをそれぞれサポートするセル（例えば、マクロセル１０８）に接続される必要がある。従って、ＵＥ３００がＲＲＣアイドル状態から復帰し、ＲＲＣ接続状態に入るときに、ＵＥ３００がスモールセル１１６ａ〜１１６ｅに接続される場合は、ＵＥ３００はＲＲＣ接続をマクロセル１０８に切り替えて、キャリアアグリゲーション又はデュアルコネクティビティを用いる。本開示で記載する技術により、キャリアアグリゲーション及び／又はデュアルコネクティビティが可能なＵＥ３００がＲＲＣアイドル状態中にマクロセル１０８に接続されたままにすることができる。
【００４４】
図４は、種々の実施形態に係る、ＵＥ（例えば、ＵＥ１０４ａ〜１０４ｂ及び／又はＵＥ３００）により行われ得るセル選択の方法４００を示す。いくつかの実施形態においては、ＵＥは、実行により、ＵＥに方法４００を行わせる命令を記憶した一つ以上の非一時的なコンピュータ読み取り可能媒体を含み得る。
【００４５】
４０４では、方法４００は、各セル再選択プライオリティコンフィグレーションが搬送周波数の相対的プライオリティを示し、ＲＲＣアイドル状態中のセル選択のためにＵＥにより使用される、複数のセル再選択プライオリティコンフィグレーションを、受信することを含み得る。いくつかの実施形態においては、一つ以上のセル再選択プライオリティコンフィグレーションは、さらに、一つ以上のセル（１０８、１１２ａ〜１１２ｂ及び／又は１１６ａ〜１１６ｅ）の相対的プライオリティを示し得る。セル再選択プライオリティコンフィグレーションは、ＵＥの異なる移動度レベルに対して指定され得る。
【００４６】
４０８では、方法４００はＵＥの移動度を推定することを含み得る。例えば、ＵＥは、低移動度、中移動度、高移動度等のＵＥの移動度レベルを決定し得る。
【００４７】
４１２では、方法４００は推定された移動度に基づいて使用されるセル再選択プライオリティコンフィグレーションを選択することを含み得る。４１６では、方法４００は選択されたセル再選択プライオリティコンフィグレーションに基づいて、セルとのＲＲＣアイドル状態接続を確立することを含み得る。
【００４８】
図５は、種々の実施形態に係る、ｅＮＢ（例えば、ｅＮＢ２００）により行われ得るネットワーク管理の方法５００を示す。いくつかの実施形態においては、ｅＮＢは、実行により、ｅＮＢに方法５００を行わせる命令を記憶した一つ以上の非一時的なコンピュータ読み取り可能媒体を含み得る。
【００４９】
５０４では、ＵＥとのＲＲＣ接続を確立することを含み得る。５０８では、方法５００は、ＵＥに、ＵＥの移動度の異なるレベルに対して指定される複数のセル再選択プライオリティコンフィグレーションを送信し得る。各セル再選択プライオリティコンフィグレーションは、ＲＲＣアイドル状態中のセル選択のため、ＵＥ用の搬送周波数の相対的プライオリティを示す。いくつかの実施形態においては、複数のセル再選択プライオリティコンフィグレーションが、ＵＥがＲＲＣ接続状態からＲＲＣアイドル状態に入ることを指示するＲＲＣ接続解放メッセージに含まれ得る。
【００５０】
図６は、種々の実施形態に係る、ＵＥ（例えば、ＵＥ１０４ａ〜１０４ｂ及び／又はＵＥ３００）により行われ得るセル選択の方法を示す。いくつかの実施形態において、ＵＥは、実行により、ＵＥに方法６００を行わせる命令を記憶した一つ以上の非一時的なコンピュータ読み取り可能媒体を含み得る。
【００５１】
６０４では、方法６００は、無線通信ネットワークの複数の搬送周波数又は複数のセルのうちの各搬送周波数又は各セルの相対的プライオリティを示し、ＵＥが閾値より下の移動度を有するときに、ＲＲＣアイドル状態中にモニタする搬送周波数を選択するためにＵＥにより使用される、プライオリティ情報を取得する。
【００５２】
６０８では、方法６００は、ＵＥの移動度を推定することを含む。
【００５３】
６１２では、方法６００は、推定された移動度が閾値よりも上である場合は、プライオリティ情報を考慮することなく、ＲＲＣアイドル状態中にモニタする搬送周波数を選択することを含み得る。
【００５４】
６１６では、方法６００は、推定された移動度が閾値よりも下である場合は、プライオリティ情報に基づいて、ＲＲＣアイドル状態中にモニタする搬送周波数を選択する（例えば、プライオリティ情報により示される優先された搬送周波数及び／又はセルに関連づけられた搬送周波数を選択する）ことを含み得る。
【００５５】
図７は、種々の実施形態に係る、ＵＥ（例えば、ＵＥ１０４ａ〜１０４ｂ及び／又はＵＥ３００）に行われ得るセル選択の方法７００を示す。いくつかの実施形態においては、ＵＥは、実行により、ＵＥに方法７００を行わせる命令を記憶した一つ以上の非一時的なコンピュータ読み取り可能媒体を含み得る。
【００５６】
７０４では、方法７００は、ｅＮＢからセル特定プライオリティ情報を取得することを含み得る。セル特定プライオリティ情報は、ＵＥのＲＲＣアイドル状態接続のため、他のセルよりも優先される、無線通信ネットワークの一つ以上のセルを示し得る。
【００５７】
７０８では、方法７００はＵＥがキャリアアグリゲーション又はデュアルコネクティビティが可能であるか否かを決定することを含み得る。
【００５８】
７１２では、方法７００は、ＵＥがキャリアアグリゲーション及びデュアルコネクティビティが不可能であると判断された場合は、セル特定プライオリティ情報に基づいて、ＲＲＣアイドル状態接続のためのセルを選択することを含み得る。
【００５９】
７１６では、方法７００は、ＵＥがキャリアアグリゲーション又はデュアルコネクティビティが可能であると判断された場合は、セル特定プライオリティ情報を考慮することなく、ＲＲＣアイドル状態接続のための搬送周波数又はセルを選択することを含み得る。
【００６０】
本開示で記載されたようなＵＥ１０４ａ〜１０４ｂ、ｅＮＢ２００又はＵＥ３００は、任意の好適な要望通りに構成されたハードウェア、ファームウェア、ソフトウェアを用いてシステム内に実装され得る。
【００６１】
図８は、一つの実施形態について、無線周波数（ＲＦ）回路８０４と、ベースバンド回路８０８と、アプリケーション回路８１２と、メモリ／ストレージ８１６と、ディスプレイ８２０と、カメラ８２４と、センサ８２８と、入出力（Ｉ／Ｏ）インタフェース８３２と、を含み、これらが、少なくとも図示のように互いに結合された、例示のシステム８００を示す。
【００６２】
アプリケーション回路８１２は、一つ以上のシングルコア又はマルチコアのプロセッサを含み得るが、これらに限られない。プロセッサは、汎用プロセッサ及び専用プロセッサ（例えば、グラフィックプロセッサ、アプリケーションプロセッサ等）の任意の組み合わせを含み得る。プロセッサは、メモリ／ストレージ８１６に結合されることができ、メモリ／ストレージ８１６内に記憶された命令を実行して、システム８００で稼働する種々のアプリケーション又はオペレーティングシステムを可能にする。
【００６３】
ベースバンド回路８０８は、一つ以上のシングルコア又はマルチコアのプロセッサを含み得るが、これらに限られない。プロセッサは、ベースバンドプロセッサを含み得る。ベースバンド回路８０８は、ＲＦ回路８０４による一つ以上の無線ネットワークとの通信を可能にする種々の無線制御機能を扱う。無線制御機能は、信号変調、エンコード、デコード、無線周波数シフト等を含み得るが、これらに限られない。いくつかの実施形態においては、ベースバンド回路８０８は、一つ以上の無線技術と互換性のある通信を提供し得る。例えば、いくつかの実施形態においては、ベースバンド回路８０８は、Ｅ−ＵＴＲＡＮ又は他の無線メトロポリタンエリアネットワーク（ＷＭＡＮ）、無線ローカルエリアネットワーク（ＭＬＡＮ）若しくは無線パーソナルエリアネットワーク（ＷＰＡＮ）での通信をサポートし得る。ベースバンド回路８０８が一つ以上の無線プロトコルでの無線通信をサポートするように構成された実施形態は、マルチモードベースバンド回路と呼ばれ得る。
【００６４】
種々の実施形態において、ベースバンド回路８０８は、ベースバンド周波数内にあるとは厳密には見なされない信号で動作する回路を含み得る。例えば、いくつかの実施形態においては、ベースバンド回路８０８はベースバンド周波数と無線周波数との間にある中間周波数を有する信号で動作する回路を含み得る。
【００６５】
いくつかの実施形態において、通信デバイス２０４、トランシーバ回路２０８、ネットワーク管理回路２１６、通信デバイス３０４、トランシーバ回路３０８、制御回路３１６及び／又は移動度回路３２０はアプリケーション回路８１２又はベースバンド回路８０８に組み込まれ得る。
【００６６】
ＲＦ回路８０４はノンソリッド媒体を通じて変調電磁放射を用いて無線ネットワークと通信し得る。種々の実施形態において、ＲＦ回路８０４は、スイッチ、フィルタ、増幅器等を含むことができ、無線ネットワークとの通信を容易にする。
【００６７】
種々の実施形態においては、ＲＦ回路８０４は、ベースバンド周波数内にあるとは厳密には見なされない信号で動作する回路を含み得る。例えば、いくつかの実施形態においては、ＲＦ回路８０４はベースバンド周波数と無線周波数との間にある中間周波数を有する信号で動作する回路を含み得る。
【００６８】
いくつかの実施形態においては、トランシーバ回路２０８又はトランシーバ回路３０８はＲＦ回路８０４に組み込まれ得る。
【００６９】
いくつかの実施形態においては、ベースバンド回路８０８、アプリケーション回路８１２又はメモリ／ストレージ８１６のいくつかの又は全ての構成コンポーネントは、まとめてシステムオンチップ（ＳＯＣ）で実装され得る。
【００７０】
メモリ／ストレージ８１６は、例えば、システム８００についてのデータ又は命令を読み込む、又は記憶するのに用いられ得る。一つの実施形態についてのメモリ／ストレージ８１６は、好適な揮発性メモリ（例えば、ダイナミックランダムアクセスメモリ（ＤＲＡＭ））又は不揮発性メモリ（例えば、フラッシュメモリ）を含み得る。
【００７１】
種々の実施形態においては、Ｉ／Ｏインタフェース８３２は、システム８００とのユーザ相互作用を可能にするように設計された一つ以上のユーザインタフェース又はシステム８００との周辺コンポーネント相互作用を可能にするように設計された一つ以上の周辺コンポーネントインタフェースを含み得る。ユーザインタフェースは、物理的キーボード又はキーパッド、タッチパッド、スピーカー、マイクロホン等を含み得るが、これらに限られない。周辺コンポーネントインタフェースは、不揮発性メモリポート、ユニバーサルシリアルバス（ＵＳＢ）ポート、音響ジャック、電源インタフェースを含み得るが、これらに限られない。
【００７２】
種々の実施形態においては、センサ８２８は、一つ以上の検出デバイスを含み、システム８００に関連した環境条件又は場所情報を決定する。いくつかの実施形態においては、センサは、ジャイロセンサ、加速度計、近接センサ、周辺光センサ及び位置ユニットを含み得るが、これらに限れられない。位置ユニットは、また、ベースバンド回路８０８又はＲＦ回路の一部である、又はこれらと相互作用することができ、例えば、全地球測位システム（ＧＰＳ）衛星である、位置決めネットワークのコンポーネントと通信する。
【００７３】
種々の実施形態においては、ディスプレイ８２０はディスプレイ（例えば、液晶ディスプレイ、タッチスクリーンディスプレイ等）を含み得る。
【００７４】
種々の実施形態においては、システム８００は、モバイルコンピューティングデバイスであり得る。モバイルコンピューティングデバイスは、ラップトップコンピューティングデバイス、タブレットコンピューティングデバイス、ネットブック、ウルトラブック、スマートフォン等であるが、これらに限られない。種々の実施形態においては、システム８００は、より多くの若しくはより少ないコンポーネント又は異なるアーキテクチャを含み得る。
【００７５】
次の段落は、種々の実施形態に係る、いくつかの例を提供する。
【００７６】
例１は、ユーザイクイップメント（ＵＥ）により用いられる装置であって、当該装置は、各セルがそれぞれ搬送周波数に関連づけられた、複数のセルを有する無線通信ネットワークで通信するトランシーバ回路と、前記ＵＥの移動度を推定する移動度回路と、前記トランシーバ回路及び前記移動度回路に結合された制御回路と、を含む。前記制御回路は、各セル再選択プライオリティコンフィグレーションは前記搬送周波数又は各セルの相対的プライオリティを示し、無線リソース制御（ＲＲＣ）アイドル状態接続を確立するために前記ＵＥにより使用されるものである、複数のセル再選択プライオリティコンフィグレーションを、前記トランシーバ回路を介して受信し、推定された前記移動度に基づいて、使用される第一セル再選択プライオリティコンフィグレーションを選択し、前記第一セル再選択プライオリティコンフィグレーションに基づいて、前記複数のセルの第一セルとの前記ＲＲＣアイドル状態接続を確立する、装置。
【００７７】
例２は、複数のセル再選択プライオリティコンフィグレーションは、前記ＵＥの移動度の異なる範囲に対して指定される、例１に記載の装置。
【００７８】
例３は、前記制御回路は、三つのセル再選択プライオリティコンフィグレーションを受信する、例２に記載の装置。
【００７９】
例４は、各セル再選択プライオリティコンフィグレーションは、前記搬送周波数の相対的プライオリティを示し、異なる搬送周波数は異なる送信電力のセルに関連づけられた、例１に記載の装置。
【００８０】
例５は、推定された前記ＵＥの移動度は、閾値より上であり、前記第一セル再選択プライオリティコンフィグレーションは、低電力搬送周波数よりも高電力搬送周波数を優先する、例４に記載の装置。
【００８１】
例６は、推定された前記ＵＥの移動度は、閾値より下であり、前記第一セル再選択プライオリティコンフィグレーションは、高電力搬送周波数よりも低電力搬送周波数を優先する、例４に記載の装置。
【００８２】
例７は、前記複数のセル再選択プライオリティコンフィグレーションは、ブロードキャストシグナリングを介して受信される、例１に記載の装置。
【００８３】
例８は、前記複数のセル再選択プライオリティコンフィグレーションは、当該ＵＥに対して指定される指定シグナリングを介して受信される、例１に記載の装置。
【００８４】
例９は、前記複数のセル再選択プライオリティコンフィグレーションの少なくとも一つは、各セルの相対的プライオリティを示す、例１から８のいずれか一つに記載の装置。
【００８５】
例１０は、進化型Ｎｏｄｅ  Ｂ（ｅＮＢ）により用いられる装置であって、当該装置は、オーバーラップするカバレッジ範囲を有する複数のセルを含み、各セルがそれぞれ搬送周波数に関連づけられた、無線通信ネットワークのセルを介して、ユーザイクイップメント（ＵＥ）と通信するトランシーバ回路と、前記ＵＥの移動度の異なるレベルに対して指定され、各セル再選択プライオリティコンフィグレーションが前記搬送周波数又は各セルの相対的プライオリティを示し、無線リソース制御（ＲＲＣ）アイドル状態接続を確立するために前記ＵＥにより使用されるものである、複数のセル再選択プライオリティコンフィグレーションを、前記ＵＥに送信するネットワーク管理回路と、を含む装置。
【００８６】
例１１は、前記ネットワーク管理回路は、前記ＵＥがＲＲＣアイドル状態に入ることを指示するＲＲＣ接続解放メッセージ内で前記複数のセル再選択プライオリティコンフィグレーションを送信するものである、例１０に記載の装置。
【００８７】
例１２は、前記ネットワーク管理回路は、三つのセル再選択プライオリティコンフィグレーションを送信するものである、例１０に記載の装置。
【００８８】
例１３は、各セル再選択プライオリティコンフィグレーションは、前記搬送周波数の相対的プライオリティを示し、異なる搬送周波数は異なる送信電力のセルに関連づけられた、例１０に記載の装置。
【００８９】
例１４は、前記複数のセル再選択プライオリティコンフィグレーションの第一セル再選択プライオリティコンフィグレーションは、前記ＵＥの第一移動度レベルについて指定され、低電力搬送周波数よりも高電力搬送周波数を優先し、前記複数のセル再選択プライオリティコンフィグレーションの第二セル再選択プライオリティコンフィグレーションは、該第一移動度レベルよりも遅い、前記ＵＥの第二移動度レベルについて指定され、前記第二セル再選択プライオリティコンフィグレーションは、高電力搬送周波数よりも低電力搬送周波数を優先する、例１３に記載の装置。
【００９０】
例１５は、前記複数のセル再選択プライオリティコンフィグレーションは、ブロードキャストシグナリングを介して送信される、例１０に記載の装置。
【００９１】
例１６は、前記複数のセル再選択プライオリティコンフィグレーションは、当該ＵＥに対して指定される指定シグナリングを介して送信される、例１０に記載の装置。
【００９２】
例１７は、前記複数のセル再選択プライオリティコンフィグレーションの少なくとも一つは、各セルの相対的プライオリティを示す、例１０から１６のいずれか一つに記載の装置。
【００９３】
例１８は、実行により、ユーザイクイップメント（ＵＥ）に、無線通信ネットワークの複数の搬送周波数又は複数のセルのうちの各搬送周波数又は各セルの相対的プライオリティを示し、前記ＵＥの移動度が閾値よりも下であるときに、無線リソース制御（ＲＲＣ）アイドル状態中にモニタする搬送周波数を選択するために前記ＵＥにより使用される、プライオリティ情報を取得させ、前記ＵＥの移動度を推定させ、推定された前記移動度が前記閾値よりも下である場合は、前記プライオリティ情報に基づいて前記ＲＲＣアイドル状態中にモニタする搬送周波数又はセルを選択させ、推定された前記移動度が前記閾値よりも上である場合は、前記プライオリティ情報を考慮することなく前記ＲＲＣアイドル状態中にモニタする搬送周波数又はセルを選択させる、命令を記憶した一つ以上の非一時的なコンピュータ読み取り可能媒体。
【００９４】
例１９は、前記命令が、さらに、前記ＵＥの移動度が前記閾値よりも上である場合に、前記ＲＲＣアイドル状態中にモニタする前記搬送周波数又は前記セルの選択のために、前記ＵＥが前記プライオリティ情報を無視するか否かを示す値を有するインジケータを、前記ＵＥに取得させる、例１８の一つ以上の媒体。
【００９５】
例２０は、前記プライオリティ情報は、前記ＵＥの移動度の異なるレベルに対して指定される複数のセル再選択プライオリティコンフィグレーションを含み、各セル再選択プライオリティコンフィグレーションは、前記搬送周波数の相対的プライオリティを示す、例１８の一つ以上の媒体。
【００９６】
例２１は、前記命令が、さらに、前記ＲＲＣアイドル状態中のページングメッセージ又はシステム情報ブロードキャストの前記第一周波数を、前記ＵＥにモニタさせる、例１８から２０のいずれか一つの一つ以上の媒体。
【００９７】
例２２は、前記プライオリティ情報は、前記ＵＥが前記ＲＲＣアイドル状態に入ることを指示するＲＲＣ接続解放メッセージに含まれる、例２１の一つ以上の媒体。
【００９８】
例２３は、実行により、ユーザイクイップメント（ＵＥ）に、前記ＵＥの無線リソース制御（ＲＲＣ）アイドル状態接続のために、他のセルよりも優先される、無線通信ネットワークの一つ以上のセルを示すセル特定プライオリティ情報を、進化型Ｎｏｄｅ  Ｂ（ｅＮＢ）から取得させ、前記ＵＥがキャリアアグリゲーション又はデュアルコネクティビティが可能であるか否かを決定させ、前記ＵＥがキャリアアグリゲーション又はデュアルコネクティビティが不可能であると決定された場合には、前記セル特定プライオリティ情報に基づいて、前記ＲＲＣアイドル状態接続のための第一セルを選択させ、前記ＵＥがキャリアアグリゲーション又はデュアルコネクティビティが可能であると決定された場合には、前記セル特定プライオリティ情報を考慮することなく、前記ＲＲＣアイドル状態接続のための搬送周波数又はセルを選択させる、命令を記憶した一つ以上の非一時的なコンピュータ読み取り可能媒体。
【００９９】
例２４は、前記命令が、さらに、前記ＵＥのＲＲＣアイドル状態接続のために、前記無線通信ネットワークの複数の搬送周波数のうちの各搬送周波数の相対的プライオリティを示す周波数プライオリティ情報を取得させ、前記ＵＥがキャリアアグリゲーション又はデュアルコネクティビティが可能であると決定された場合は、前記周波数プライオリティ情報に基づいて前記ＲＲＣアイドル状態接続のための前記搬送周波数又はセルを選択させる、例２３に記載の一つ以上の媒体。
【０１００】
例２５は、前記命令が、さらに、前記無線通信ネットワークのためのマクロカバレッジを提供するマクロ周波数キャリア又はマクロセルを示す識別子を、前記ｅＮＢから取得させ、前記ＵＥがキャリアアグリゲーション又はデュアルコネクティビティが可能であると決定された場合は、前記ＲＲＣアイドル状態接続のために前記マクロ周波数キャリア又は前記マクロセルを選択させる、例２３又は２４に記載の一つ以上の媒体。
【０１０１】
例２６は、ユーザイクイップメント（ＵＥ）であって、無線通信ネットワークの複数の搬送周波数又は複数のセルのうちの各搬送周波数又は各セルの相対的プライオリティを示し、前記ＵＥの移動度が閾値よりも下であるときに、無線リソース制御（ＲＲＣ）アイドル状態中にモニタする搬送周波数を選択するために前記ＵＥにより使用される、プライオリティ情報を取得する手段と、前記ＵＥの移動度を推定する手段と、推定された前記移動度が前記閾値よりも下である場合は、前記プライオリティ情報に基づいて前記ＲＲＣアイドル状態中にモニタする搬送周波数又はセルを選択する手段と、推定された前記移動度が前記閾値よりも上である場合は、前記プライオリティ情報を考慮することなく前記ＲＲＣアイドル状態中にモニタする搬送周波数又はセルを選択する手段と、を含むＵＥ。
【０１０２】
例２７は、さらに、前記ＵＥの移動度が前記閾値よりも上である場合に、前記ＲＲＣアイドル状態中にモニタする前記搬送周波数又は前記セルの選択のために、前記ＵＥが前記プライオリティ情報を無視するか否かを示す値を有するインジケータを、取得する手段を含む、例２６のＵＥ。
【０１０３】
例２８は、前記プライオリティ情報は、前記ＵＥの移動度の異なるレベルに対して指定される複数のセル再選択プライオリティコンフィグレーションを含み、各セル再選択プライオリティコンフィグレーションは、前記搬送周波数の相対的プライオリティを示す、例２６のＵＥ。
【０１０４】
例２９は、さらに、前記ＲＲＣアイドル状態中のページングメッセージ又はシステム情報ブロードキャストの前記第一周波数を、モニタする手段を含む、例２６から２８のいずれか一つのＵＥ。
【０１０５】
例３０は、前記プライオリティ情報は、前記ＵＥが前記ＲＲＣアイドル状態に入ることを指示するＲＲＣ接続解放メッセージに含まれる、例２９のＵＥ。
【０１０６】
例３１は、ユーザイクイップメント（ＵＥ）であって、前記ＵＥの無線リソース制御（ＲＲＣ）アイドル状態接続のために、他のセルよりも優先される、無線通信ネットワークの一つ以上のセルを示すセル特定プライオリティ情報を、進化型Ｎｏｄｅ  Ｂ（ｅＮＢ）から取得する手段と、前記ＵＥがキャリアアグリゲーション又はデュアルコネクティビティが可能であるか否かを決定する手段と、前記ＵＥがキャリアアグリゲーション又はデュアルコネクティビティが不可能であると決定された場合には、前記セル特定プライオリティ情報に基づいて、前記ＲＲＣアイドル状態接続のための第一セルを選択する手段と、前記ＵＥがキャリアアグリゲーション又はデュアルコネクティビティが可能であると決定された場合には、前記セル特定プライオリティ情報を考慮することなく、前記ＲＲＣアイドル状態接続のための搬送周波数又はセルを選択する手段と、を含むＵＥ。
【０１０７】
例３２は、さらに、前記ＵＥのＲＲＣアイドル状態接続のために、前記無線通信ネットワークの複数の搬送周波数のうちの各搬送周波数の相対的プライオリティを示す周波数プライオリティ情報を取得する手段と、前記ＵＥがキャリアアグリゲーション又はデュアルコネクティビティが可能であると決定された場合は、前記周波数プライオリティ情報に基づいて前記ＲＲＣアイドル状態接続のための前記搬送周波数又はセルを選択する手段と、を含む、例３１に記載のＵＥ。
【０１０８】
例３３は、さらに、前記無線通信ネットワークのためのマクロカバレッジを提供するマクロ周波数キャリア又はマクロセルを示す識別子を、前記ｅＮＢから取得する手段と、前記ＵＥがキャリアアグリゲーション又はデュアルコネクティビティが可能であると決定された場合は、前記ＲＲＣアイドル状態接続のために前記マクロ周波数キャリア又は前記マクロセルを選択する手段と、を含む、例３１又は３２に記載のＵＥ。
【０１０９】
説明された実施態様である、本開示における記載は、要約書に記載されているものを含めて、排他的、又は、明確に開示した形態に本開示を限定することを意図していない。詳細な実施態様及び実施例が説明を目的として本明細書において記載しており、種々の均等な修正物が、当業者の理解に応じて、本開示の範囲内で可能である。これらの修正物は、上記の詳細な説明に照らした開示に対してなされ得る。
【図１】
0006321205.tif 000002
【図２】
0006321205.tif 000003
【図３】
0006321205.tif 000004
【図４】
0006321205.tif 000005
【図５】
0006321205.tif 000006
【図６】
0006321205.tif 000007
【図７】
0006321205.tif 000008
【図８】
0006321205.tif 000009